(57)【特許請求の範囲】
【請求項１】
車内の天井の決められた範囲を間接照明する車両用ルームランプにおいて、
天井材とガーニッシュとの間に配置され、かつ、投光用開口部が設けられているランプ本体と、
前記ランプ本体内に配置された光源と、
前記ランプ本体に一体に形成され、前記天井材の内面の決められた範囲をカバーし、前記光源からの光であって前記投光用開口部から投光照射された光を反射させることにより間接照明が得られるように、表面には前記光を拡散反射させる表面処理が施されている間接発光部と、
前記間接発光部の裏面に設けられていて、前記間接発光部を前記天井材に取り付けるための取付爪と、
を備えたことを特徴とする車両用ルームランプ。
【請求項２】
前記光源は、線状ないし棒状発光体から構成されている、ことを特徴とする請求項１に記載の車両用ルームランプ。
【請求項３】
前記間接発光部は、前記投光用開口部の前記天井材側の端部から一体に形成されており、前記ガーニッシュの端部には、前記投光用開口部の前記ガーニッシュ側の端部をカバーするカバー部が設けられている、ことを特徴とする請求項１または２に記載の車両用ルームランプ。
【請求項４】
前記間接発光部は、前記投光用開口部の前記天井材側の端部から一体に形成されており、前記投光用開口部の前記ガーニッシュ側の端部には、前記ガーニッシュの端部をカバーするカバー部が設けられている、ことを特徴とする請求項１または２に記載の車両用ルームランプ。
【請求項５】
前記間接発光部は、前記投光用開口部の前記天井材側の端部から一体に形成されており、前記ランプ本体と前記ガーニッシュとは、一体に形成されている、ことを特徴とする請求項１または２に記載の車両用ルームランプ。
【発明の詳細な説明】
【０００１】
【発明の属する技術分野】
この発明は、車内の天井の決められた範囲を間接照明する車両用ルームランプに係るものである。特に、この発明は、車種が替わって天井材の素材が替わっても、均一の間接照明の光り方が得られる車両用ルームランプに関するものである。
【０００２】
【従来の技術】
この種の車両用ルームランプは、車内に配置され、かつ、投光用開口部が設けられているランプ本体と、前記ランプ本体内に配置された光源と、を備えるものである。前記光源を点灯すると、前記光源からの光が前記投光用開口部から天井に投光照射され、前記天井が間接照明されることとなる。
【０００３】
【発明が解決しようとする課題】
ところが、従来のこの種の車両用ルームランプは、光源からの光を天井に直接投光照射して天井を間接照明するものであるから、車種が替わって天井材の素材が替わると、天井の間接照明の光り方が異なる。このために、従来の車両用ルームランプは、車種ごとに天井の間接照明においてばらつきがある、などの課題がある。
【０００４】
この発明は、車種が替わって天井材の素材が替わっても、均一の間接照明の光り方が得られる車両用ルームランプを提供することを目的とする。
【０００５】
【課題を解決するための手段】
上記の目的を達成するために、請求項１にかかる発明は、ランプ本体に間接発光部が一体に形成されていて、その間接発光部の表面には、光を拡散反射させる表面処理が施されていて、かつ、その間接発光部の裏面には、間接発光部を天井材に取り付けるための取付爪が設けられている、ことを特徴とする。
【０００６】
この結果、請求項１にかかる発明は、取付爪でランプ本体に一体に形成されている間接発光部を天井材に取り付けて、かつ、その間接発光部を天井材の内面の決められた範囲にカバーし、光源を点灯する。すると、光源からの光が間接発光部の表面に投光照射されて拡散反射するので、その間接発光部が間接照明される。これにより、間接発光部がカバーされた天井の決められた範囲を間接照明することとなる。
【０００７】
このように、請求項１にかかる発明は、車種が替わって天井材の素材が替わっても、間接発光部の素材が変わらないので、間接発光部すなわち天井の決められた範囲において均一の間接照明の光り方が得られる。
【０００８】
また、請求項２にかかる発明は、光源が線状ないし棒状発光体から構成されている、ことを特徴とする。
【０００９】
この結果、請求項２にかかる発明は、線状ないし棒状の光源により、間接発光部すなわち天井の決められた範囲においてさらに均一の間接照明の光り方が得られる。
【００１０】
また、請求項３にかかる発明は、ガーニッシュの端部に、投光用開口部のガーニッシュ側の端部をカバーするカバー部が設けられている、ことを特徴とする。
【００１１】
この結果、請求項３にかかる発明は、ガーニッシュの端部のカバー部が投光用開口部のガーニッシュ側の端部をカバーするので、投光用開口部の開口幅を狭く調整することができる。これにより、たとえば、光源の消灯時において、投光用開口部からランプ本体内に配置された光源が見えなくなる。また、光源がカバー部により目隠しされるので、見栄えが向上される。
【００１２】
また、請求項４にかかる発明は、投光用開口部のガーニッシュ側の端部に、ガーニッシュの端部をカバーするカバー部が設けられている、ことを特徴とする。
【００１３】
この結果、請求項４にかかる発明は、ランプ本体の一部のカバー部がガーニッシュの端部をカバーするフレーム（縁取りや縁飾り）として機能するので、ガーニッシュの端部の見栄えが向上する。また、請求項４にかかる発明は、ランプ本体の一部のカバー部がガーニッシュの端部をカバーするので、ランプ本体とガーニッシュとが確実に取り付けられる。
【００１４】
また、請求項５にかかる発明は、ランプ本体とガーニッシュとが一体に形成されている、ことを特徴とする。
【００１５】
この結果、請求項５にかかる発明は、ランプ本体とガーニッシュとを一体化することにより、部品点数や組み付け工程数などが低減できる。また、車両用ルームランプとガーニッシュとのモジュール化、強いては、車両用ルームランプとガーニッシュと天井材とのモジュール化が図られる。
【００１６】
【発明の実施の形態】
以下、この発明にかかる車両用ルームランプの実施の形態の３例およびその変形例の３例を添付図面を参照して説明する。なお、この実施の形態によりこの発明が限定されるものではない。
【００１７】
（実施の形態１の構成の説明）
図１および図２は、この発明にかかる車両用ルームランプの実施の形態１を示す。図において、１は車両用ルームランプである。この車両用ルームランプ１は、ランプ本体２と、光源３と、間接発光部４とから構成されている。このルームランプ１は、天井のサイド部に配置されるものである。すなわち、このルームランプ１は、天井材５とピラーガーニッシュ（センターピラーガーニッシュ）６との間に配置されている。
【００１８】
前記ランプ本体２は、中空の細長い直方体形状をなす。前記ランプ本体２内には、灯室７が形成されている。前記ランプ本体２の一側には、投光用開口部８が開口されている。
【００１９】
前記灯室７内には、前記光源３が配置されている。前記光源３は、線状ないし棒状発光体から構成されている。線状ないし棒状発光体としては、たとえば、下記のものがある。すなわち、特願２００１−２７７２２２号、特願２００１−２７７２２３号に記載されているもの。また、特開２０００−２２２９０７号公報に記載されているもの。さらに、蛍光灯などである。
【００２０】
前記間接発光部４は、前記ランプ本体２に一体に形成されている。すなわち、前記間接発光部４は、前記投光用開口部８の前記天井材５側の端部から一体に形成されている。前記間接発光部４は、天井、すなわち、前記天井材５の内面の決められた範囲をカバーするものである。
【００２１】
前記間接発光部４の表面（内面）は、シボ（型転写）、起毛、木目処理（電着、塗装、印刷、フィルム転写）などの表面処理が施されている。また、前記間接発光部４の裏面（外面）には、ランス形状の２本の取付爪９が一体に設けられている。
【００２２】
前記天井材５は、車内の天井に敷設されている。たとえば、前記天井材５は、嵌め込みタイプのボス部などの取付手段（図示せず）により、車両のボディ１４に取り付けられている。一方、前記ピラーガーニッシュ６は、車内の側方中央に配置されている。前記天井材５の端部（エッジ部）と、前記ピラーガーニッシュ６の端部（上端部）とは、隙間１０を開けてオーバーラップしている。前記隙間１０には、前記ランプ本体２が収納配置されている。
【００２３】
前記天井材５の端部の内面（表面）には、ほぼ長方形の凹部１１が決められた範囲に設けられている。前記凹部１１には、前記間接発光部４が嵌め込まれている。前記間接発光部４の厚さと、前記凹部１１の深さとは、ほぼ同一である。この結果、前記間接発光部４の内面と前記天井材５の内面とは、ほぼ面一となる。
【００２４】
前記天井材５の前記凹部１１が設けられている端部には、２本の取付孔１２が設けられている。前記取付孔１２には、前記取付爪９が圧入もしくは挿入されている。前記取付爪９は、前記天井材５の外面（裏面）に係合されている。この結果、前記間接発光部４は、前記天井材５に取り付けられることとなる。なお、前記取付爪９および前記取付孔１２の本数は、特に限定しない。
【００２５】
前記ピラーガーニッシュ６は、図１に示すように、正面から見てほぼＴ字形状をなし、かつ、図２の断面に示すように、端部（上端部）が湾曲している。前記ピラーガーニッシュ６は、嵌め込みタイプのボス部などの取付手段１３により、車両のボディ１４に取り付けられている。
【００２６】
前記ピラーガーニッシュ６の端部には、前記投光用開口部８の前記ピラーガーニッシュ６側の端部をカバーするカバー部１５が一体に設けられている。前記カバー部１５は、前記ピラーガーニッシュ６の端部からＬ字形状に立ち上げて設けられている。
【００２７】
（実施の形態１の作用の説明）
この実施の形態１における車両用ルームランプ１は、以上のごとき構成からなり、以下、その作用について説明する。
【００２８】
光源３を点灯する。すると、光源３からの光は、実線矢印に示すように、投光用開口部８から間接発光部４側に投光照射され、その間接発光部４において反射（乱反射、拡散反射）する。これにより、間接発光部４は、間接照明され、その間接発光部４がカバーされた天井材５の決められた範囲１６が間接照明されることとなる。
【００２９】
（実施の形態１の効果の説明）
この実施の形態１における車両用ルームランプ１は、以上のごとき構成からなり、以下、その効果について説明する。
【００３０】
このように、この実施の形態１における車両用ルームランプ１は、車種が替わって天井材５の素材が替わっても、間接発光部４の素材が変わらないので、間接発光部４すなわち天井材５の決められた範囲１６において均一の間接照明の光り方が得られる。
【００３１】
特に、この実施の形態１における車両用ルームランプ１は、光源３として、線状ないし棒状発光体を使用するので、間接発光部４すなわち天井材５の決められた範囲１６においてさらに均一の間接照明の光り方が得られる。
【００３２】
また、この実施の形態１における車両用ルームランプ１は、ピラーガーニッシュ６の端部のカバー部１５が投光用開口部８のピラーガーニッシュ６側の端部をカバーするので、投光用開口部８の開口幅を狭く調整することができる。これにより、たとえば、光源３の消灯時において、投光用開口部８からランプ本体２内に配置された光源３が見えなくなる。また、光源３がカバー部１５により目隠しされるので、見栄えが向上される。
【００３３】
（実施の形態２の説明）
図３は、この発明にかかる車両用ルームランプの実施の形態２を示す。図中、図１および図２と同符号は、同一のものを示す。
【００３４】
この実施の形態２における車両用ルームランプ１７は、投光用開口部８のピラーガーニッシュ６側の端部に、ピラーガーニッシュ６の端部をカバーするカバー部１８を設けたものである。前記カバー部１８は、前記投光用開口部８の端部からコ字形状に立ち下げて設けられている。前記カバー部１８には、前記ピラーガーニッシュ６の端部が嵌め込まれている。
【００３５】
この実施の形態２における車両用ルームランプ１７は、ランプ本体２の一部のカバー部１８がピラーガーニッシュ６の端部をカバーするフレーム（縁取りや縁飾り）として機能するので、ピラーガーニッシュ６の端部の見栄えが向上する。また、この実施の形態２における車両用ルームランプ１７は、ランプ本体２の一部のカバー部１８がピラーガーニッシュ６の端部をカバーするので、ランプ本体２とピラーガーニッシュ６とが確実に取り付けられる。
【００３６】
（実施の形態３の説明）
図４は、この発明にかかる車両用ルームランプの実施の形態３を示す。図中、図１〜図３と同符号は、同一のものを示す。
【００３７】
この実施の形態３における車両用ルームランプ１９は、ランプ本体２とピラーガーニッシュ６とが一体に形成されているものである。
【００３８】
この実施の形態３における車両用ルームランプ１９は、ランプ本体２とピラーガーニッシュ６とを一体化することにより、部品点数や組み付け工程数などが低減できる。また、車両用ルームランプ１９とピラーガーニッシュ６とのモジュール化、強いては、車両用ルームランプ１９とピラーガーニッシュ６と天井材５とのモジュール化が図られる。
【００３９】
（実施の形態１の変形例の説明）
図５および図６は、この発明にかかる車両用ルームランプの実施の形態１の変形例を示す。図中、図１〜図４と同符号は、同一のものを示す。
【００４０】
この実施の形態１の変形例における車両用ルームランプ１は、天井材５と天井サイドガーニッシュ２０との間に配置されている。なお、図６中において、符号２１は、サイドウインドウである。この実施の形態１の変形例における車両用ルームランプ１は、前記実施の形態１における車両用ルームランプ１とほぼ同様の作用効果を達成することができる。
【００４１】
（実施の形態２の変形例の説明）
図７は、この発明にかかる車両用ルームランプの実施の形態２の変形例を示す。図中、図１〜図６と同符号は、同一のものを示す。
【００４２】
この実施の形態２の変形例における車両用ルームランプ１７は、天井材５と天井サイドガーニッシュ２０との間に配置されている。この実施の形態２の変形例における車両用ルームランプ１７は、前記実施の形態２における車両用ルームランプ１７とほぼ同様の作用効果を達成することができる。
【００４３】
（実施の形態３の変形例の説明）
図８は、この発明にかかる車両用ルームランプの実施の形態３の変形例を示す。図中、図１〜図７と同符号は、同一のものを示す。
【００４４】
この実施の形態３の変形例における車両用ルームランプ１９は、天井材５と天井サイドガーニッシュ２０との間に配置されている。この実施の形態３の変形例における車両用ルームランプ１９は、前記実施の形態３における車両用ルームランプ１９とほぼ同様の作用効果を達成することができる。
【００４５】
（実施の形態１〜３およびその変形例以外の例の説明）
なお、前記実施の形態１〜３およびその変形例においては、ランプ本体２が中空の細長い直方体形状をなすものである。ところが、この発明においては、ランプ本体の形状は特に限定しない。
【００４６】
また、前記実施の形態１〜３およびその変形例においては、線状ないし棒状発光体から構成されている光源３を使用している。ところが、この発明においては、光源としてはＬＥＤ、白熱灯、バルブなどであっても良い。
【００４７】
また、前記実施の形態１〜３およびその変形例においては、ガーニッシュとして、ピラーガーニッシュ６、天井サイドガーニッシュ２０について説明されている。ところが、この発明においては、その他のガーニッシュであっても良い。
【００４８】
【発明の効果】
以上から明らかなように、この発明にかかる車両用ルームランプ（請求項１）は、ランプ本体に間接発光部が一体に形成されているものである。この結果、この発明にかかる車両用ルームランプ（請求項１）は、車種が替わって天井材の素材が替わっても、間接発光部の素材が変わらないので、間接発光部すなわち天井の決められた範囲において均一の間接照明の光り方が得られる。
【００４９】
また、この発明にかかる車両用ルームランプ（請求項２）は、光源が線状ないし棒状発光体から構成されているので、間接発光部すなわち天井の決められた範囲においてさらに均一の間接照明の光り方が得られる。
【００５０】
また、この発明にかかる車両用ルームランプ（請求項３）は、ガーニッシュの端部に、投光用開口部のガーニッシュ側の端部をカバーするカバー部が設けられている。この結果、この発明にかかる車両用ルームランプ（請求項３）は、ガーニッシュの端部のカバー部が投光用開口部のガーニッシュ側の端部をカバーするので、投光用開口部の開口幅を狭く調整することができる。これにより、たとえば、光源の消灯時において、投光用開口部からランプ本体内に配置された光源が見えなくなる。また、光源がカバー部により目隠しされるので、見栄えが向上される。
【００５１】
また、この発明にかかる車両用ルームランプ（請求項４）は、投光用開口部のガーニッシュ側の端部に、ガーニッシュの端部をカバーするカバー部が設けられている。この結果、この発明にかかる車両用ルームランプ（請求項４）は、ランプ本体の一部のカバー部がガーニッシュの端部をカバーするフレーム（縁取りや縁飾り）として機能するので、ガーニッシュの端部の見栄えが向上する。また、この発明にかかる車両用ルームランプ（請求項４）は、ランプ本体の一部のカバー部がガーニッシュの端部をカバーするので、ランプ本体とガーニッシュとが確実に取り付けられる。
【００５２】
また、この発明にかかる車両用ルームランプ（請求項５）は、ランプ本体とガーニッシュとが一体に形成されているものであるから、部品点数や組み付け工程数などが低減できる。また、車両用ルームランプとガーニッシュとのモジュール化、強いては、車両用ルームランプとガーニッシュと天井材とのモジュール化が図られる。
【図面の簡単な説明】
【図１】この発明の車両用ルームランプの実施の形態１を示す使用状態の一部斜視図である。
【図２】図１におけるＩＩ−ＩＩ線断面図である。
【図３】この発明の車両用ルームランプの実施の形態２を示す使用状態の一部断面図である。
【図４】この発明の車両用ルームランプの実施の形態３を示す使用状態の一部断面図である。
【図５】この発明の車両用ルームランプの実施の形態１の変形例を示す使用状態の一部斜視図である。
【図６】図５におけるＶＩ−ＶＩ線断面図である。
【図７】この発明の車両用ルームランプの実施の形態２の変形例を示す使用状態の一部断面図である。
【図８】この発明の車両用ルームランプの実施の形態３の変形例を示す使用状態の一部断面図である。
【符号の説明】
１、１７、１９  車両用ルームランプ
２  ランプ本体
３  光源
４  間接発光部
５  天井材
６  ピラーガーニッシュ（センターピラーガーニッシュ）
７  灯室
８  投光用開口部
９  取付爪
１０  隙間
１１  凹部
１２  取付孔
１３  取付手段
１４  ボディ
１５  カバー部
１６  決められた範囲
１８  カバー部
２０  天井サイドガーニッシュ
２１  サイドウインドウ
【図１】
0004298945.tif 000002
【図２】
0004298945.tif 000003
【図３】
0004298945.tif 000004
【図４】
0004298945.tif 000005
【図５】
0004298945.tif 000006
【図６】
0004298945.tif 000007
【図７】
0004298945.tif 000008
【図８】
0004298945.tif 000009